(57)【要約】【課題】エンドレス部位のスチ−ルコ−ド先端のラグ根元のクラックの発生を抑えたエンドレス構造に係るもので、特に屈曲歪みを受けるスチ−ルコ−ドの先端を引張りの中心であるスチ−ルコ−ドの位置差し込んだことにより跳ね上がりの傾向が小さくした。【解決手段】有端のゴム弾性体の長手方向にスチ−ルコ−ドを埋設し、当該ゴム弾性体の端部よりスチ−ルコ−ドを突出させ、この突出部をオ−バ−ラップしてこの部位を加硫してエンドレス構造するゴムクロ−ラであって、ゴムクロ−ラの外周側にオ−バ−ラップされたスチ−ルコ−ド先端をスチ−ルコ−ド間に差し込んだ構造としたことを特徴とするゴムクロ−ラのエンドレス構造。１‥スチ−ルコ−ド、１ａスチ−ルコ−ドの先端、３‥スチ−ルコ−ドを覆うゴム、８‥差し込み。【選択図】図４
2006111052.tif 000002
【特許請求の範囲】
【請求項１】
有端のゴム弾性体の長手方向にスチ−ルコ−ドを埋設し、当該ゴム弾性体の端部よりスチ−ルコ−ドを突出させ、この突出部をオ−バ−ラップしてこの部位を加硫してエンドレス構造するゴムクロ−ラであって、ゴムクロ−ラの外周側にオ−バ−ラップされたスチ−ルコ−ド先端をスチ−ルコ−ド間に差し込んだ構造としたことを特徴とするゴムクロ−ラのエンドレス構造。
【請求項２】
差し込まれたスチ−ルコ−ド先端を隣り合うスチ−ルコ−ドに溶接した請求項１記載のゴムクロ−ラのエンドレス構造。
【発明の詳細な説明】
【技術分野】
【０００１】
本発明は、ゴムクロ−ラのエンドレス構造の改良に関するものである。
【背景技術】
【０００２】
ゴムクロ−ラにはその長手方向にスチ−ルコ−ドが埋設されており、当初は有端に形成したゴム弾性体の両端にスチ−ルコ−ドを突出させ、この突出部位を重ね合わせて再加硫してエンドレス構造としているのが一般的である。
【０００３】
しかるに、ゴムクロ−ラはスプロケットとアイドラ−に巻き掛けして走行に供されるものであるが、スチ−ルコ−ドのオ−バ−ラップ部位は他の部位よりも極めて剛性が高く、オ−バ−ラップされたスチ−ルコ−ドの外側に配置された先端に屈曲歪みが集中してしまうこととなる。
【０００４】
このため、オ−バ−ラップされたスチ−ルコ−ドの外側に配置された先端は通常ゴムクロ−ラの外側に形成するゴムラグの直下に配置することとしているが、走行中にこの歪みが繰り返しを受けることとなり、特に巻き掛け径が小さい場合に、例えば、コンバイン向けのゴムクロ−ラにおいては、スチ−ルコ−ド先端ラグの根元にクラックが発生することは避けられない。
【０００５】
図１はゴムクロ−ラのオ−バ−ラップ部の部分図であり、１はスチ−ルコ−ドでゴムクロ−ラの長手方向に埋設されている。１ａは外周側にオ−バ−ラップされたスチ−ルコ−ド１の先端である。２はゴムクロ−ラの外周側に形成したゴムラグであり、スチ−ルコ−ド１の先端１ａはゴムラグ２の直下に配置されている。
【０００６】
図２はスプロケットに巻き掛けされた際のゴムクロ−ラを示すものであり、図示するように巻き掛けが繰り返されると、スチ−ルコ−ド１の先端１ａに屈曲歪みが集中し、先端１ａは外側に跳ね上がる傾向があり、このため、ゴムラグ２の根元にクラックＣが発生することになる。
【発明の開示】
【発明が解決しようとする課題】
【０００７】
本発明は、エンドレス部位のスチ−ルコ−ド先端のラグ根元のクラックの発生を抑えたエンドレス構造に係るものである。
【課題を解決するための手段】
【０００８】
有端のゴム弾性体の長手方向にスチ−ルコ−ドを埋設し、当該ゴム弾性体の端部よりスチ−ルコ−ドを突出させ、この突出部をオ−バ−ラップしてこの部位を加硫してエンドレス構造するゴムクロ−ラであって、ゴムクロ−ラの外周側にオ−バ−ラップされたスチ−ルコ−ド先端をスチ−ルコ−ド間に差し込んだ構造としたことを特徴とするゴムクロ−ラのエンドレス構造。
【発明の効果】
【０００９】
本発明は以上の通りであり、特に屈曲歪みを受けるスチ−ルコ−ドの先端を引張りの中心であるスチ−ルコ−ドの位置差し込んだことにより跳ね上がりの傾向が小さくなり、ゴムラグの根元に生じていたクラックの発生が極めて低減したものであり、ゴムクロ−ラとして寿命が著しく向上したものである。
【発明を実施するための最良の形態】
【００１０】
ゴムクロ−ラの引張りの中心面であるスチ−ルコ−ドから間隔があればあるほど歪みが大きく、跳ね上がりの程度は大きい。このことから、エンドレス部のスチ−ルコ−ドの先端をスチ−ルコ−ド間に差し込んで歪みを小さくするものである。
【００１１】
更に好ましくは、スチ−ルコ−ドの先端をスチ−ルコ−ドの間に差し込み、その状態で先端をスチ−ルコ−ドに溶接してしまうものであり、屈曲による歪みの集中を完全に抑えたものである。尚、この場合には、オ−バ−ラップした内側の先端に歪みが集中することになるが、この部分は引張りの中心であるスチ−ルコ−ドよりも内側に当たり、屈曲時にこの周囲のゴムは圧縮側となる部位であり、跳ね上がりの発生はほとんど生じない。
【実施例】
【００１２】
以下、本発明を実施例をもって更に詳細に説明する。
図３は本発明の第１実施例を示す概念図である。図中、１はスチ−ルコ−ドであり、１ａはそのオ−バ−ラップ部における外周側になる先端部である。
【００１３】
通常、スチ−ルコ−ド１は図４に示すように列状をなし、その上下より未加硫のゴムシ−ト３にて覆われており、この有端の先端をオ−バ−ラップするのであるが、本発明にあっては、スチ−ルコ−ドの先端１ａをゴムシ−ト３を剥ぎ取り、又、その先端１ａに対応するスチ−ルコ−ド１のゴムをこれ又剥ぎ取って露呈させ、スチ−ルコ−ド１間に先端１ａを差し込んで（８）なるものである。
【００１４】
尚、この例では、スチ−ルコ−ド先端１ａとこれに対応するスチ−ルコ−ド１の部位のゴムを剥ぎ取ったが、その一方のみを剥ぎ取ることで十分な場合もある。
【００１５】
かかる状態を維持しつつゴムクロ−ラを成形することにより、スチ−ルコ−ド先端１ａは引張りの中心面、即ち、スチ−ルコ−ド１の列の中に存在することになり、繰り返しの屈曲歪みが生じてもその程度は小さく、従って、先端１ａの跳ね上がりも少なく、ゴムラグの根元におけるクラックの発生は極めて低減できたものである。
【００１６】
尚、オ−バ−ラップ部位を全て差し込み式（８）にすることが最もよいが、作業性が悪くなることは当然であり、しかも効果的にもさほど違いはなく、スチ−ルコ−ド先端１ａを差し込むだけで十分効果が発揮されるものである。
【００１７】
図５は第２実施例を示す全体図であり、これはスチ−ルコ−ド先端１ａを対応するスチ−ルコ−ド１に溶接９をした例である。この場合、先端１ａが溶接９されたことにより跳ね上がり現象は全くなくなった。勿論、ここにかかる歪みはオ−バ−ラップされたスチ−ルコ−ドのもう一方の先端１ｂに主としてかかるが、かかる先端１ｂはスチ−ルコ−ド１よりも内周側に位置することから、外周側にスチ−ルコ−ド１が存在することと、その周囲のゴムは圧縮側となること等から、その跳ね上がり現象を抑えることとなり、ゴムラグの根元のクラックはほとんど生じない。
【産業上の利用可能性】
【００１８】
本発明は以上の通りであり、殆ど全ての同種のゴムクロ−ラに適用可能であり、その工業上の価値は高い。
【図面の簡単な説明】
【００１９】
【図１】図１は従来のゴムクロ−ラのオ−バ−ラップ部の部分図である。
【図２】図２は図１のゴムクロ−ラがスプロケットに巻き掛けされた際の状態を示す図である。
【図３】図３は本発明の第１実施例を示す概念図である。
【図４】図４はスチ−ルコ−ドの状態を示す部分図である。
【図５】図５は本発明の第２実施例を示す概念図である。
【符号の説明】
【００２０】
１‥スチ−ルコ−ド、
１ａ、１ｂ‥スチ−ルコ−ドの先端、
２‥ゴムラグ、
３‥スチ−ルコ−ドを覆うゴム、
８‥差し込み、
９‥溶接、
Ｃ‥クラック。
【図１】
2006111052.tif 000003
【図２】
2006111052.tif 000004
【図３】
2006111052.tif 000005
【図４】
2006111052.tif 000006
【図５】
2006111052.tif 000007